(57)【要約】【課題】装置本体が高所に設置された場合でも、ディスクの配置、取り出しを容易かつ適切に行えるディスクトレイを備えたディスクトレイ装置の提供。【解決手段】ディスク配置部Ｓが筐体１の外部に露出するイジェクト位置と、ディスク配置部Ｓが筐体１の内部に納まる収納位置との間を移動可能なディスクトレイ２を備える。ディスクトレイ２は、その移動方向Ｌでディスク配置部Ｓを前後２つの領域Ｓ１，Ｓ２に分ける前後一対のトレイ２１，２２から成る。トレイ２１は、イジェクト位置にあって筐体１の外部に先端側のみ露出する。一方、トレイ２２は、その前端面２２ｂ側がトレイ２１の先端に連結され、ディスクＤを保持しながら前端面２２ｂの長手方向に沿う連結軸２２ｆを中心に回動可能とされる。又、ディスクトレイ２には、トレイ２２を連結軸２２ｆ回りに回動させるトレイ転向機構３が搭載される。【選択図】図１
2010244587.tif 000002
【特許請求の範囲】
【請求項１】
ディスクを配置するディスク配置部を有して、前記ディスク配置部が筐体の外部に露出するイジェクト位置と、前記ディスク配置部が前記筐体の内部に収まる収納位置との間を移動可能とされるディスクトレイを備えたディスクトレイ装置において、
前記ディスクトレイは、その移動方向で前記ディスク配置部を前後２つの領域に分ける第１トレイと第２トレイとから成り、
前記第２トレイは、前記ディスク配置部の分け目となる一端とは反対の前端面側が前記第１トレイの先端に連結されて、前記ディスクを保持しながら前記前端面の長手方向に沿う連結軸回りに回動可能とされていることを特徴とするディスクトレイ装置。
【請求項２】
前記ディスクトレイには、前記第２トレイを前記連結軸回りに回動させるトレイ転向機構が搭載されていることを特徴とするディスクトレイ装置。
【請求項３】
前記イジェクト位置での前記第１トレイに対する前記第２トレイの回動角度が０度を含む任意の角度に設定可能とされていることを特徴とする請求項１、又は２記載のディスクトレイ装置。
【請求項４】
前記トレイ転向機構は、前記ディスクトレイを前記イジェクト位置と収納位置との間で移動させるトレイ移送機構からの伝達動力を受ける受動部を有して前記第１トレイに摺動可能に設けられるスライド板と、このスライド板と前記第２トレイとを連接して前記スライド板の摺動運動を前記第２トレイの回動運動に変換するリンクアークとを含み、
前記ディスクトレイが前記イジェクト位置にあるとき、前記トレイ移送機構から前記受動部への動力伝達による前記スライド板の摺動により前記第２トレイの回動が行なわれ、
前記ディスクトレイを前記イジェクト位置から収納位置に移動させるときには、前記第１トレイの移動に先行して前記スライド板が前記第１トレイの移動方向に摺動されることを特徴とする請求項２記載のディスクトレイ装置。
【請求項５】
前記トレイ転向機構は、前記第２トレイの回動中心となる前記連結軸に固着される従動ギアと、この従動ギアに伝達する動力を発生する駆動源により正逆に回転される原動ギアと、を有して成ることを特徴とする請求項２記載のディスクトレイ装置。
【発明の詳細な説明】
【技術分野】
【０００１】
本発明は、ディスク（円盤状記録媒体）にオーディオ情報やビジュアル情報を記録したり、その記録情報を再生したりするのに用いられる装置に係わり、特にディスクを搬送するためのディスクトレイを備えたディスクトレイ装置に関する。
【背景技術】
【０００２】
従来、ディスク駆動装置として、ディスクを搬送するためのディスクトレイ装置を備えたものが知られる。その種のディスクトレイ装置は、ディスクを載せたディスクトレイが水平状態を保って移動しながら、水平状に配置されるターンテーブル上までディスクを搬送する横型が主流であるが、コンピュータ本体に内蔵されるものではターンテーブルの軸線が水平方向に指向される縦型も多い。
【０００３】
ここに、縦型のディスクトレイ装置によれば、ディスクトレイに配したディスクの中心孔にターンテーブルが嵌まり込むよう、ディスクトレイをターンテーブルに平行して鉛直姿勢に配置し、そのディスクトレイがターンテーブルの軸線に直交する面内で平行移動する構成とされることが一般的であるが、ディスクはディスクトレイに対してその左右（表裏）いずれかの面に配置されるようになっているので、ユーザによってはディスクトレイに対するディスクの配置やその取り出しが困難になることがある。
【０００４】
例えば、ディスクトレイの移動方向に正対してディスク配置部が右側にあるとき、左利きのユーザにとってはディスクの配置、取り出しが困難となり、逆にディスクトレイの移動方向に正対してディスク配置部が左側にあるときには、右利きのユーザにとってディスクの配置、取り出しが困難となる。
【０００５】
そこで、ディスクトレイを備える縦型にして、そのディスクトレイが外部に排出されたとき垂直姿勢から水平姿勢に転換してディスク配置部が上向きとなる装置が提案されている（例えば、特許文献１）。
【先行技術文献】
【特許文献】
【０００６】
【特許文献１】特開平０９−３２０１６２号公報
【発明の概要】
【発明が解決しようとする課題】
【０００７】
しかしながら、特許文献１に開示されるような装置によれば、横型の装置と同じくユーザの利き手に関係なくディスクの配置や取り出しを好適に行えるという効果を得られるものの、装置本体が高所に設置されてディスクトレイがユーザの目線上に位置するような使用態様とされた場合、ディスク配置部や同部に配置されたディスクを視認できなくなり、このためディスクの配置や取り出しを良好に行えなくなるという問題を残存している。
【０００８】
本発明は、以上のような事情に鑑みて成されたものであり、その目的は装置本体が高所に設置された場合でも、ディスクの配置、取り出しを容易かつ適切に行えるディスクトレイを備えたディスクトレイ装置を提供することにある。
【課題を解決するための手段】
【０００９】
本発明は上記目的を達成するため、
ディスクＤを配置するディスク配置部Ｓを有して、ディスク配置部Ｓが筐体１の外部に露出するイジェクト位置と、ディスク配置部Ｓが筐体１の内部に収まる収納位置との間を移動可能とされるディスクトレイ２を備えたディスクトレイ装置において、
ディスクトレイ２は、その移動方向Ｌでディスク配置部Ｓを前後２つの領域Ｓ１，Ｓ２に分ける第１トレイ２１と第２トレイ２２とから成り、
第２トレイ２２は、ディスク配置部Ｓの分け目ＳＬとなる一端とは反対の前端面２２ｂ側が第１トレイ２１の先端に連結されて、ディスクＤを保持しながら前端面２２ｂの長手方向に沿う連結軸２２ｆ回りに回動可能とされていることを特徴とする。
【００１０】
加えて、ディスクトレイ２には、第２トレイ２２を連結軸２２ｆ回りに回動させるトレイ転向機構３が搭載されていることを特徴とする。
【００１１】
又、前記イジェクト位置での第１トレイ２１に対する前記第２トレイ２２の回動角度が０度を含む任意の角度に設定可能とされていることを特徴とする。
【００１２】
更に、トレイ転向機構３は、ディスクトレイ２を前記イジェクト位置と収納位置との間で移動させるトレイ移送機構（ピニオン５）からの伝達動力を受ける受動部（ラック部３１ｃ）を有して第１トレイ２１に摺動可能に設けられるスライド板３１と、このスライド板３１と第２トレイ２２とを連接してスライド板３１の摺動運動を第２トレイ２２の回動運動に変換するリンクアーク３２とを含み、
ディスクトレイ２が前記イジェクト位置にあるとき、トレイ移送機構（ピニオン５）から受動部（ラック部３１ｃ）への動力伝達によるスライド板３１の摺動により第２トレイ２２の回動が行なわれ、
ディスクトレイ２を前記イジェクト位置から収納位置に移動させるときには、第１トレイ２１の移動に先行してスライド板３１が第１トレイ２１の移動方向に摺動されることを特徴とする。
【００１３】
又、トレイ転向機構３は、第２トレイ２２の回動中心となる連結軸２２ｆに固着される従動ギア３５と、この従動ギア３５に伝達する動力を発生する駆動源３３により正逆に回転される原動ギア３４と、を有して成ることを特徴とする。
【発明の効果】
【００１４】
本発明によれば、前後に移動するディスクトレイを備えたディスクトレイ装置にして、係るディスクトレイがその移動方向でディスク配置部を前後２つの領域に分ける第１トレイと第２トレイとにより構成され、第１トレイの先端に連結される第２トレイがディスクを保持しながら前端面の長手方向に沿う連結軸回りに回動可能とされていることから、本装置が高所設置された場合でも、下方のユーザがディスクを視認可能となる位置まで第２トレイを回動させ、第２トレイに保持されたディスクを視認しながらその取り出し、交換を適切に行うことが可能となる。
【００１５】
又、第２トレイの回動角度が０度を含む任意の角度に設定可能とされていることから、装置の設置状態などに応じて、ディスク配置部をディスクの着脱が行い易い方向に向けることができる。
【００１６】
しかも、ディスクトレイを収納位置とイジェクト位置との間で前後移動させるトレイ移送機構の動力を利用し、ディスクトレイがイジェクト位置にあるときに第２トレイの回動が行なわれる構成としていることから、ディスクトレイに第２トレイを回動する専用の駆動源を搭載せずして第２トレイを回動することができ、ひいては製品コストを抑制しながらディスクトレイの軽量化を図ることが可能になる。
【００１７】
又、第２トレイを回動させるトレイ転向機構が、専用の駆動源を備えているものでは、簡易構造のトレイ転向機構にして、その駆動源を制御するだけで第２トレイを回動させることができ、このため第２トレイの回動量を容易に制御でき、その回動角度も駆動源の動作量を制御するだけで容易に変更することができる。
【図面の簡単な説明】
【００１８】
【図１】本発明に係るディスクトレイ装置を示す斜視図
【図２】同装置のディスクトレイを示す斜視図
【図３】（ａ）は第１トレイの平面図、（ｂ）はＡ−Ａ断面図
【図４】（ａ）は第２トレイの平面図、（ｂ）はＢ−Ｂ断面図
【図５】ディスクトレイの斜視分解図
【図６】トレイ転向機構を構成するスライド板の縦断面図
【図７】ディスクトレイの平面図
【図８】ディスクトレイ装置の内部を示す断面図
【図９】第２トレイの回動状態を示す説明図
【図１０】スライド板とその周辺を示す平面図
【図１１】ディスクを取り出すときの状態を示す説明図
【図１２】トレイ転向機構の変更例を示す説明図
【図１３】本装置を縦型とした例を示す斜視図
【発明を実施するための形態】
【００１９】
以下、本発明に係るディスクトレイ装置の具体的な構成例を図面に基づいて詳しく説明する。先ず、図１において、１は装置の筐体であり、その内部には図示せぬターンテーブルや光ピックアップのほか、後述するトレイ移送機構が設けられる。又、筐体１の前面は図示せぬ操作スイッチ類を配した操作パネル部１１とされ、その操作パネル部１１にスリット状の開口部１２が形成されている。
【００２０】
２は開口部１２を通じて筐体１の内外に出入りする偏平板状のディスクトレイであり、その片面（図示例において上面）にはディスクを配置するためのディスク配置部Ｓが形成されている。ディスク配置部Ｓは、ディスクの外周縁を支持するための段差を付けた円形の凹みであり、その直径はディスクの直径よりも僅かに大きいものとされている。
【００２１】
そして、係るディスクトレイ２は、上述のトレイ移送機構により図１の実線で示される収納位置と、二点鎖線で示されるイジェクト位置との間を図示Ｌ方向（前後方向）に移動される。尚、収納位置ではディスク配置部Ｓを含むディスクトレイ２の全体が筐体１の内部に収まり、イジェクト位置では筐体１の外部にディスク配置部Ｓが全面的に露出して同部Ｓに対するディスクの配置及び取り出しが可能とされる。特に、イジェクト位置では、図１の一点鎖線で示されるように、ディスクトレイ２の一部分（後述の第２トレイ２２）が図示Ｒ方向（本例において上下方向）に回動するようになっているが、係る構成については後述する。
【００２２】
次に、ディスクトレイ２の構造をより詳しく説明すれば、係るディスクトレイ２は合成樹脂などから成形されるもので、その片面に上述の如くディスク配置部Ｓが形成されている。又、図１、図２から明らかなように、ディスクトレイ２には、ディスク配置部Ｓの中心からその外域まで延びる切欠孔Ｈが穿設されている。この切欠孔Ｈは、上記のターンテーブルと光ピックアップとに対応して形成される開口部分で、ディスク配置部Ｓの中心では切欠孔Ｈの一端を通じてディスク配置部Ｓに配置されたディスクの中心がターンテーブルで支持されるようになっており、これによりディスクをディスク配置部Ｓ上に若干浮上させて回転させながら、その盤面に対して光ピックアップからレーザ光を照射することが可能とされる。
【００２３】
特に、本発明に係るディスクトレイは、その移動方向（Ｌ方向）でディスク配置部Ｓを前後２つの領域Ｓ１，Ｓ２に分ける第１トレイ２１と第２トレイ２２（以下、第１、第２を省略してトレイ２１，２２とする）とで構成される。つまり、ディスクトレイ２は、前後に分割された一対のトレイ２１，２２から成り、その両トレイ２１，２２がディスク配置部Ｓの領域Ｓ１，Ｓ２を分有している。係るトレイ２１，２２は、ディスク配置部Ｓの領域Ｓ１，Ｓ２を分け合うよう別々に成形され、このうちディスク配置部Ｓの片側領域Ｓ１を有するトレイ２１は、図２のようにトレイ２２が位置する前方に向けて延びる左右一対の腕部２１ａを有している。
【００２４】
図３から明らかなように、腕部２１ａにはディスク配置部Ｓの片側領域Ｓ１に近接する位置において内方に突出する凸部２１ｂが設けられると共に、腕部２１ａの先端には円形の連結孔２１ｃが穿設されている。又、トレイ２１には、ディスク配置部Ｓの片側領域Ｓ１とは反対側の面（裏面）において、ガイドピン２１ｄ、ならびに腕部２１ａの長手方向に沿うラック部２１ｅが形成されている。
【００２５】
一方、図２から明らかなように、トレイ２２には、ディスク配置部Ｓの片側領域Ｓ２の周縁において同領域Ｓ２内に突出するディスク保持部材２２ａが設けられる。尚、ディスク保持部材２２ａは、図２の状態において、ディスク配置部Ｓに配置されるディスクとの間に隙間が形成されるよう所定の高さを有しており、これによりディスク配置部Ｓ上で浮上回転されるディスクとの接触が回避されるようになっている。更に、トレイ２２は、ディスク配置部Ｓの分け目ＳＬとなる一端とは反対側において、その前端面を成す横長帯状の蓋板２２ｂを一体又は別体として備えている。この蓋板２２ｂは、図１のようにディスクトレイ２が収納位置にあるとき筐体１の開口部１２を塞ぐもので、これにより筐体１内への塵埃の侵入が防止されるようになっている。又、図４から明らかなように、トレイ２２には、ディスク配置部Ｓの片側領域Ｓ２とは反対側の面（裏面）において、ブラケット２２ｃ，２２ｄとラック部２２ｅとが形成されている。このうち、ブラケット２２ｄは前端面（蓋板２２ｂ）寄りの左右両側縁より垂下されており、その内側面において前端面の長手方向に突出する連結軸２２ｆが設けられている。
【００２６】
そして、以上のようなトレイ２１，２２は、図５のようにトレイ２１の腕部２１ａの先端に穿設した連結孔２１ｃに連結軸２２ｆを嵌め込んで連結される。これにより、トレイ２２はトレイ２１と平板状に連なる状態を初期位置として、連結軸２２ｆを中心に回動可能とされる。尚、上記の初期位置ではトレイ２１の凸部２１ｂによってトレイ２２が下方から支持される。
【００２７】
又、図５において、３はトレイ２２を連結軸２２ｆ回りに回動させるトレイ転向機構であり、本例ではそのトレイ転向機構３としてスライド板３１と左右一対のリンクアーム３２が用いられる。スライド板３１はトレイ２１の裏面に摺動可能に設けられる偏平な薄板であり、これには左右一対の長孔３１ａが穿設されるほか、その裏面おいてリンクアーム３２の一端を接続するブラケット３１ｂが形成される。又、図６に示されるように、スライド板３１には、トレイ移送機構から伝達動力を受ける受動部として、上記の長孔３１ａに平行するラック部３１ｃが形成されている。
【００２８】
図７から明らかなように、スライド板３１の長孔３１ａにはトレイ２１に設けられるガイドピン２１ｄが嵌め込まれるのであり、この状態においてラック部３１ｃがディスクトレイ２のラック部２１ｅ，２２ｅに平行しながらラック部２１ｅに対して部分的に常時オーバーラップするようになっている。しかして、スライド板３１は長孔３１ａおよびラック部３１ｃの長手方向に摺動可能とされるが、その摺動方向はディスクトレイ２の移動方向Ｌに合致する。尚、ガイドピン２１ｄの先端には、スライド板３１の脱落を防止するべく図示せぬスナップリングが取り付けられる。又、図７において、４は筐体１の内部に設けられる左右一対のガイドレールであり、このガイドレール４によりディスクトレイ２がその移動方向Ｌに対して摺動自在に支持されている。
【００２９】
一方、図７から明らかなように、トレイ転向機構３を構成するリンクアーム３２は、ターンテーブルＴや光ピックアップＰに干渉せぬよう切欠孔Ｈを挟んで平行に設けられ、このリンクアーム３２によってスライド板３１とトレイ２２が連接する構成とされる。ここに、リンクアーム３２の各一端は上述の如くスライド板３１のブラケット３１ｂに接続され、他の各一端は図８のようにトレイ２２のブラケット２２ｃに接続される。
【００３０】
そして、上記のようなトレイ転向機構３によれば、スライド板３１がトレイ移送機構からの伝達動力を受けてトレイ２１の裏面に沿って摺動すると、その摺動運動をリンクアーム３２によりトレイ２２の回動運動に変換することができる。但し、リンクアーム３２の両端（ブラケット３１ｂ，２２ｃとの接続部分）とトレイ２２の回動中心となる連結軸２２ｆとは同一直線上にあらず、トレイ２２とリンクアーム３２との接続部分（ブラケット２２ｃ）が、ブラケット３１ｂと連結軸２２ｆとを結ぶ線上よりもトレイ２２側に位置するよう設定されるのであり、これによりリンクアーム３２が思案点をもたずに確定運動することが可能とされている。
【００３１】
又、図７および図８において、５は上記のトレイ移送機構を構成するピニオンであり、これはラック部２１ｅ，２２ｅ，３１ｃに噛み合う位置で筐体１の開口部１２付近に配され、図示せぬモータによって正逆に回転するようになっている。
【００３２】
次に、上記のように構成されるディスクトレイ装置の作用について説明すれば、図８のように、ディスクトレイ２が収納位置にあるとき、ピニオン５にはトレイ２２のラック部２２ｅが噛み合っている。この状態で、ピニオン５を図８の時計回りに回転駆動すると、ディスクトレイ２がイジェクト位置に向けて同図右方に移動を開始する。その後、トレイ２２の末端がピニオン５の位置に到達してピニオン５からラック部２２ｅが外れるものの、ピニオン５にはラック部２２ｅに続いてトレイ２１のラック部２１ｅが噛み合うのであり、このためディスクトレイ２の移動は続行される。そして、ディスク配置部Ｓが筐体１の外部に完全に露出する状態になると、トレイ２１のラック部２１ｅがピニオン５から外れてディスクトレイ２の移動が停止されるようになるが、ラック部２１ｅがピニオン５から外れる前にはスライド板３１のラック部３１ｃがピニオン５と噛み合う。これにより、ディスクトレイ２の停止後には、トレイ２１に対しスライド板３１が前方に向けて摺動しながらリンクアーム３２の一端を押圧するようになる。この結果、図９(a)のようにトレイ２２が連結軸２２ｆを中心に回動（上方旋回）する。特に、トレイ２２の回動時にはディスク配置部Ｓに配置されたディスクＤが、ディスク配置部Ｓの片側領域Ｓ２とディスク保持部材２２ａとの間に挟み込まれた状態でトレイ２２に保持され、そのトレイ２２と共に回動される。
【００３３】
そして、トレイ２２がディスクＤを保持しながら所定位置まで回動すると、図１０のようにスライド板３１の長孔３１ａの一端がガイドピン２１ｄの位置に達し、そのガイドピン２１ｄを介してスライド板３１がトレイ２１を前方（図１０の右方）に押圧するのであり、これによりピニオン５から外れた状態にあるトレイ２１のラック部２１ｅがピニオン５から更に大きく外された後、図９(b)のようにピニオン５とスライド板３１のラック部３１ｃが噛み合ったまま、ピニオン５の回転駆動が停止される。
【００３４】
尚、上記のようなディスク転向機構３によるトレイ２２の回動時において、ディスクＤがトレイ２２に確実に保持されるよう、本例ではディスク配置部Ｓの２領域Ｓ１，Ｓ２のうちトレイ２２側の領域Ｓ２がトレイ２１側の領域Ｓ１よりも大きくされるが、トレイ２１，２２とでディスク配置部Ｓを等分した場合でも、ディスク保持部材２２ａの働きによりディスク配置部Ｓに配置されたディスクＤをトレイ２２に取り込むことができる。
【００３５】
従って、図１１のように係るディスクトレイ装置がユーザの目線ＥＬより高い位置に設置された場合でも、ディスクＤの非記録面（ラベル面）を視認しながら、これをトレイ２２から適切に取り出すことができ、しかもディスクＤを取り出したトレイ２２に別のディスクを保持せしめ、これをディスク配置部Ｓに配置することができる。
【００３６】
ディスクＤをディスク配置部Ｓに配置するには、図９(b)の状態において、ピニオン５を上記とは逆向き（図９の反時計回り）に回転させるのであり、これによりピニオン５と噛み合った状態のラック部３１ｃに動力伝達が行われ、最初にスライド板３１の後方（図９の左方）への摺動が開始される。尚、ピニオン５の駆動力はスライド板３１、リンクアーム３２、及びトレイ２２を介してトレイ２１をスライド板３１と同方向に移動させるよう作用するが、トレイ２１に作用する伝達動力は、図７に示したガイドレール４とトレイ２１との間に作用する摩擦力に比べて極めて小さく、しかもトレイ２１はイジェクト位置において図示せぬバネ仕込みのロック機構により弾性的にロックされる。このため、トレイ２１が静止状態に保たれたまま、トレイ２２がトレイ２１に向けて回動（図９において左旋回）し、やがてトレイ２１，２２が平板状に連なり、その両者２１，２２の領域Ｓ１，Ｓ２の一致により円形状のディスク配置部Ｓが合成され、そのディスク配置部ＳにディスクＤが配置されるようになる。そして、この段階では図５に示されるトレイ２１の凸部２１ｂによりトレイ２２の回動が阻止され、しかも図１０示されるスライド板３１の長孔３１ａの一端（図１０の右側端）がトレイ２１のガイドピン２１ｄを押圧することにより、上記ロック機構が解除されてトレイ２１がイジェクト位置から収納位置に向けて移動され、これによりそのラック部２１ｅがピニオン５に対して噛み合わされる。このため、スライド板３１が図７に示されるトレイ２１の後部に停止された状態で、ディスクトレイ２がトレイ移送機構（ピニオン５）からの伝達動力を直に受けながら収納位置まで移動されることとなる。
【００３７】
このように、本発明によればディスクトレイ２がイジェクト位置にあるときトレイ２２の回動運動が行なわれることから、筐体１の開口部１２を小さくしながら、その開口部１２に対してトレイ２２が干渉することを防止でき、しかもディスクＤはトレイ２２から半分程度張り出した状態で保持されるので、ディスクＤを取り出すときなどに、その記録面をトレイ２２の部位に当てて傷付けてしまうことを抑制することができる。
【００３８】
尚、上記例では、領域Ｓ２の周縁に複数のディスク保持部材２２ａを所定の間隔で設けるようにしているが、そのディスク保持部材２２ａを円弧状にして領域Ｓ２の周縁全体に設けるようにしたり、あるいはディスク保持部材２２ａを領域Ｓ２に対面する板状にしてトレイ２２の全体がポケット状となる態様としたりしてもよい。又、図９において、トレイ２２の回動角θは１２０度とされるが、その角度θはリンクアーム３２の長さやトレイ２２に対するリンクアーム３２の接続位置により変更することができる。例えば、ディスクトレイ２がイジェクト位置に達したとき、これをセンサにより検知してピニオン５の回転駆動を停止することにより、トレイ２２を回動させずして角度θを０度としたり、あるいはスライド板３１の可動量を大きくして角度θを１８０度としたりすることができる。但し、図示例のようなディスクトレイ２では、角度θを大きくすると、トレイ２１の腕部２１ａにトレイ２２の蓋板２２ｂが干渉してしまうので、角度θを大きくする場合には例えば一対の腕部２１ａの間隔を蓋板２２ｂの全長よりも大きくするなどの改良が加えられる。
【００３９】
更に、上記例ではトレイ転向機構３として、スライド板３１とリンクアーム３２とを用い、スライド板３１にトレイ移送機構（ピニオン５）からの伝達動力を受ける受動部（ラック部３１ｃ）を設ける構成としたが、係るトレイ転向機構を専用の駆動源を備える構成とすることもできる。例えば、図１２のようにトレイ２１の腕部２１ａに駆動源３３（可逆モータ）を取り付け、その駆動軸に原動ギア３４を固着すると共に、トレイ２２の回動中心となる連結軸２２ｆに従動ギア３５を固着し、駆動源３３の回転駆動力が原動ギア３４からアイドルギア３６を介して従動ギア３５に伝達される構成としてもよい。そして、図１２のようなトレイ転向機構でも、ディスクトレイ２がイジェクト位置にあるとき、駆動源３３を駆動することにより、上記例と同じく連結軸２２ｆを中心にトレイ２２を回動させることができる。特に、駆動源３３にステッピングモータなどの制御用モータを用い、その動作量を制御することにより、トレイ２２をトレイ２１に対して上記例と同じく０〜１８０度の範囲で回動させることが可能となる。
【００４０】
以上、本発明について説明したが、係るディスクトレイ装置は、ディスクトレイ２が収納位置とイジェクト位置との間を水平姿勢で移動する横型に限らず、これを図１３のような縦型にしてディスクトレイ２が収納位置とイジェクト位置との間を鉛直姿勢で移動する態様としてもよく、この場合でもトレイ２２を前方に回動させて、これに保持されたディスクを前方のユーザ側に差し向けることができる。
【符号の説明】
【００４１】
Ｄ  ディスク
Ｓ  ディスク配置部
Ｓ１  ディスク配置部の片側（後側）領域
Ｓ２  ディスク配置部の片側（前側）領域
１  筐体
２  ディスクトレイ
２１  第１トレイ
２２  第２トレイ
２２ｂ  第２トレイの前端面（蓋板）
２２ｆ  連結軸（第２トレイの回動中心）
３  トレイ転向機構
３１  スライド板
３１ｃ  ラック部（受動部）
３２  リンクアーム
３３  駆動源
３４  原動ギア
３５  従動ギア
５  ピニオン（トレイ移送機構）
【図１】
2010244587.tif 000003
【図２】
2010244587.tif 000004
【図３】
2010244587.tif 000005
【図４】
2010244587.tif 000006
【図５】
2010244587.tif 000007
【図６】
2010244587.tif 000008
【図７】
2010244587.tif 000009
【図８】
2010244587.tif 000010
【図９】
2010244587.tif 000011
【図１０】
2010244587.tif 000012
【図１１】
2010244587.tif 000013
【図１２】
2010244587.tif 000014
【図１３】
2010244587.tif 000015